【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
無線通信システムの送信機で情報を送信するための方法であって、
フレームで複数の領域を介してそれぞれ送信される一つ以上の情報の種類をそれぞれ確認する段階と、
前記確認された一つ以上の情報の種類に基づいて、各領域のためのビーム変更時点を決定する段階と、
前記ビーム変更時点を考慮して、前記少なくとも一つのビームを介して各領域に対応する前記少なくとも１つ以上の情報を送信する段階と、を含み、
他の種類の情報を含む他の領域は、互いに異なるビーム変更時点を含む方法。
【請求項２】
前記フレームは、複数のサブフレームを含み、
前記サブフレームは、複数のスロットを含み、
前記スロットは、複数のシンボルを含み、
前記サブフレームは、
同期情報及び共通制御情報のうち少なくとも１つを送信するための少なくとも１つのスロットを含む第１領域、制御情報を送信するための少なくとも１つのスロットを含む第２領域、データを送信するための少なくとも１つのスロットを含む第３領域、トレーニング情報を送信するための少なくとも１つのスロットを含む第４領域及びランダムアクセス情報を送信するための少なくとも１つのスロットを含む第５領域のうち少なくとも１つを含む請求項１に記載の方法。
【請求項３】
前記情報を送信する段階は、
前記情報を送信するための領域が第１領域である場合、少なくとも１つのシンボル単位でビームを変更しながら前記同期情報及び共通制御情報のうち少なくとも１つを受信機に送信する段階を含む請求項２に記載の方法。
【請求項４】
前記情報を送信する段階は、
前記情報を送信するための領域が第２領域である場合、シンボル単位でビームを変更しながら前記制御情報を受信機に送信する段階を含む請求項２に記載の方法。
【請求項５】
前記第２領域は、シンボル単位で基準信号を含む請求項２に記載の方法。
【請求項６】
前記情報を送信する段階は、
前記情報を送信するための領域が第３領域である場合、スロット単位でビームを変更しながらデータを受信機に送信する段階を含む請求項２に記載の方法。
【請求項７】
前記第３領域は、スロット単位で基準信号を含む請求項２に記載の方法。
【請求項８】
前記情報を送信する段階は、
前記情報を送信するための領域が第４領域である場合、シンボル単位でビームを変更しながら前記トレーニング情報を受信機に送信する段階を含む請求項２に記載の方法。
【請求項９】
前記第５領域の間にシンボル単位でビームを変更しながら受信機が送信したランダムアクセス情報を受信する段階をさらに含む請求項２に記載の方法。
【請求項１０】
前記スロットに含まれるシンボルの個数は、シンボルのガード区間（ＣＰ：Ｃｙｃｌｉｃ  Ｐｒｅｆｉｘ）の長さによって決定される請求項２に記載の方法。
【請求項１１】
前記第２領域に含まれるスロットは、第１長さのガード区間を含む１０個のシンボルを含み、
前記第１長さのガード区間は、シンボルに追加できる第２長さのガード区間より長い長さのガード区間を含む請求項１０に記載の方法。
【請求項１２】
前記第３領域に含まれるスロットは、第１長さのガード区間を含む１つのシンボル及び第２長さのガード区間を含む１０個のシンボルを含み、
前記第１長さのガード区間は、前記第２長さのガード区間より長い長さのガード区間を含む請求項１０に記載の方法。
【請求項１３】
前記第３領域に含まれるスロットは、第１長さのガード区間を含む１０個のシンボルを含み、
前記第１長さのガード区間は、シンボルに追加できる第２長さのガード区間より長い長さのガード区間を含む請求項１０に記載の方法。
【請求項１４】
無線通信システムの送信機で情報を送信するための装置であって、
複数のアンテナ要素(ａｎｔｅｎｎａ ｅｌｅｍｅｎｔ)を含むアンテナ部と、
前記アンテナ部を介してビームを形成するＲＦ(ｒａｄｉｏ  ｆｒｅｑｕｅｎｃｙ)チェーンと、
フレームで複数の領域を介してそれぞれ送信される１つ以上の情報の種類をそれぞれ確認し、
前記確認された１つ以上の情報の種類に基づいて、各領域のためのビーム変更時点を決定し、
前記ビーム変更時点を考慮して、前記少なくとも一つのビームを介して各領域に対応する前記少なくとも一つ以上の情報を送信する制御部と、を含み、
他の種類の情報を含む他の領域は、互いに異なるビーム変更時点を含む装置。
【請求項１５】
前記フレームは、複数のサブフレームを含み、
前記サブフレームは、複数のスロットを含み、
前記スロットは、複数のシンボルを含み、
前記サブフレームは、
同期情報及び共通制御情報のうち少なくとも１つを送信するための少なくとも１つのスロットを含む第１領域、制御情報を送信するための少なくとも１つのスロットを含む第２領域、データを送信するための少なくとも１つのスロットを含む第３領域、トレーニング情報を送信するための少なくとも１つのスロットを含む第４領域及びランダムアクセス情報を送信するための少なくとも１つのスロットを含む第５領域のうち少なくとも１つを含む請求項１４に記載の装置。
【請求項１６】
前記情報を送信するための領域が第１領域である場合、前記制御部は少なくとも１つのシンボル単位でビームを変更しながら前記同期情報及び共通制御情報のうち少なくとも１つを受信区間に送信する請求項１５に記載の装置。
【請求項１７】
前記情報を送信する段階は、
前記情報を送信するための領域が第２領域である場合、前記制御部はシンボル単位でビームを変更しながら前記制御情報を受信区間に送信する請求項１５に記載の装置。
【請求項１８】
前記情報を送信するための領域が第３領域である場合、前記制御部はスロット単位でビームを変更しながらデータを受信機に送信する請求項１５に記載の装置。
【請求項１９】
前記情報を送信するための領域が第４領域である場合、前記制御部はシンボル単位でビームを変更しながら前記トレーニング情報を受信機に送信する請求項１５に記載の装置。
【請求項２０】
前記制御部は、前記第５領域の間にシンボル単位でビームを変更しながら受信機が送信したランダムアクセス情報を受信する請求項１５に記載の装置。
【請求項２１】
無線通信システムの受信機で情報を受信するための方法であって、
送信機からの同期情報に基づいて同期を獲得する段階と、
ビーム変更時点に基づいてフレームで複数の領域のうち少なくとも一つの領域の情報を前記送信機から受信する段階と、を含み、
他の種類の情報を含む他の領域は、互いに異なるビーム変更時点を含む方法。
【請求項２２】
前記フレームは、複数のサブフレームを含み、
前記サブフレームは、複数のスロットを含み、
前記スロットは、複数のシンボルを含み、
前記サブフレームは、
同期情報及び共通制御情報のうち少なくとも１つを送信するための少なくとも１つのスロットを含む第１領域、制御情報を送信するための少なくとも１つのスロットを含む第２領域、データを送信するための少なくとも１つのスロットを含む第３領域、トレーニング情報を送信するための少なくとも１つのスロットを含む第４領域及びランダムアクセス情報を送信するための少なくとも１つのスロットを含む第５領域のうち少なくとも１つを含む請求項２１に記載の方法。
【請求項２３】
前記情報を受信する段階は、
前記情報を受信するための領域が第１領域である場合、少なくとも１つのシンボル単位に基づいたビーム変更時点を用いて前記同期情報及び共通制御情報のうち少なくとも１つを受信機に受信する段階を含む請求項２２に記載の方法。
【請求項２４】
前記情報を受信する段階は、
前記情報を受信するための領域が第２領域である場合、シンボル単位に基づいたビーム変更時点を用いて前記制御情報を受信する段階を含む請求項２２に記載の方法。
【請求項２５】
前記情報を受信する段階は、
前記情報を送信するための領域が第３領域である場合、スロット単位に基づいたビーム変更時点を用いてデータを受信する段階を含む請求項２２に記載の方法。
【請求項２６】
前記情報を受信する段階は、
前記情報を受信するための領域が第４領域である場合、シンボル単位に基づいたビーム変更時点を用いて前記トレーニング情報を受信する段階を含む請求項２２に記載の方法。
【請求項２７】
前記第５領域の間にシンボル単位でビームを変更しながら前記受信機が送信したランダムアクセス情報を送信する段階をさらに含む請求項２２に記載の方法。
【請求項２８】
無線通信システムの受信機で情報を受信するための装置であって、
送信機からの同期情報に基づいて同期を獲得する制御部と、
ビーム変更時点に基づいてフレームで複数の領域のうち少なくとも一つの領域の情報を前記送信機から受信する受信部と、を含み、
他の種類の情報を含む他の領域は、互いに異なるビーム変更時点を含む装置。
【請求項２９】
前記フレームは、複数のサブフレームを含み、
前記サブフレームは、複数のスロットを含み、
前記スロットは、複数のシンボルを含み、
前記サブフレームは、
同期情報及び共通制御情報のうち少なくとも１つを送信するための少なくとも１つのスロットを含む第１領域、制御情報を送信するための少なくとも１つのスロットを含む第２領域、データを送信するための少なくとも１つのスロットを含む第３領域、トレーニング情報を送信するための少なくとも１つのスロットを含む第４領域及びランダムアクセス情報を送信するための少なくとも１つのスロットを含む第５領域のうち少なくとも１つを含む請求項２８に記載の装置。
【請求項３０】
前記情報を受信するための領域が第１領域である場合、前記受信機は少なくとも１つのシンボル単位に基づいたビーム変更時点を用いて前記同期情報及び共通制御情報のうち少なくとも１つを受信する請求項２９に記載の装置。
【請求項３１】
前記情報を受信するための領域が第２領域である場合、前記受信機はシンボル単位に基づいたビーム変更時点を用いて前記制御情報を受信する請求項２９に記載の装置。
【請求項３２】
前記情報を受信する段階は、
前記情報を送信するための領域が第３領域である場合、前記受信機はスロット単位に基づいたビーム変更時点を用いてデータを受信する請求項２９に記載の装置。
【請求項３３】
前記情報を受信するための領域が第４領域である場合、前記受信機はシンボル単位に基づいたビーム変更時点を用いて前記トレーニング情報を受信する請求項２９に記載の装置。
【請求項３４】
前記制御部は、前記第５領域の間にシンボル単位でビームを変更しながら前記受信機が送信したランダムアクセス情報を送信するように制御する請求項２９に記載の装置。